(57)【特許請求の範囲】
【請求項１】
外縁の少なくとも一部を形成する基布を備えたかつらベースであって、
前記基布は、一方の糸及び前記一方の糸と交差する他方の糸から構成される内側領域と、前記一方の糸が存在せず前記他方の糸のみが存在する外側領域とから構成され、
前記外側領域において、前記他方の糸が前記かつらベースの外側方向に延びるように配置され、
前記外側領域と隣接する前記内側領域の最外部から内側へかけての３本以上の前記一方の糸からなる連結領域において、
隣接する前記一方の糸を擬毛で結び付けた結び目が、前記一方の糸の延在方向の異なる位置に複数形成され、
前記連結領域における最も外側の前記一方の糸である最外糸と最も内側の前記一方の糸である最内糸とが、複数の前記結び目と、内外方向で前記最外糸及び前記最内糸の間に位置する前記一方の糸とを介して、互いに連結されることを特徴とするかつらベース。
【請求項２】
複数の前記結び目が、前記擬毛で結び付ける前記一方の糸が少なくとも１本共通し、共通する前記一方の糸及びそれよりも外側に隣接する少なくとも１本の前記一方の糸を結び付ける外側の前記結び目と、共通する前記一方の糸及びそれよりも内側に隣接する少なくとも１本の前記一方の糸を結び付ける内側の前記結び目とを含むことを特徴とする請求項１に記載のかつらベース。
【請求項３】
前記最外糸と前記最内糸とを連結する複数の前記結び目の群が、前記一方の糸の延在方向の異なる位置に複数形成されていることを特徴とする請求項１または２に記載のかつらベース。
【請求項４】
前記外側領域において、前記他方の糸の先端部から前記内側領域との境界までの長さが異なるように形成されていることを特徴とする請求項１から３の何れか1項に記載のかつらベース。
【請求項５】
前記外側領域において、複数の前記他方の糸の先端部により波形が形成されるように、前記かつらベースの外側方向に延びた前記他方の糸の長さが調整されていることを特徴とする請求項４に記載のかつらベース。
【請求項６】
前記一方の糸及び前記他方の糸がモノフィラメントからなる糸で構成されていることを特徴とする請求項１から５の何れか１項に記載のかつらベース。
【請求項７】
長手方向に延びる第１の糸及び前記第１の糸に交差した第２の糸から構成される帯状部材が、前記外縁の一部を形成するように前記かつらベースに取り付けられ、
前記帯状部材は、前記第１の糸及び前記第２の糸が交差した第１の領域と、前記第１の糸が存在せず前記第２の糸のみが存在する第２の領域とから構成され、
前記第２の領域において、前記第２の糸が前記かつらベースの外側方向に延びるように配置されていることを特徴とする請求項１から６の何れか１項に記載のかつらベース。
【請求項８】
請求項１から７の何れか１項に記載のかつらベースに擬毛が植設されたことを特徴とするかつら。
【発明の詳細な説明】
【技術分野】
【０００１】
本開示は、基布を備えたかつらベース、及びこのかつらベースに疑毛が植設されたかつらに関する。
【背景技術】
【０００２】
基布を備えたかつらベースにおいて、ベース部から複数の紐状部材が突出した帯状の部材を、かつらベースの基布の外縁領域に取り付けたものが提案されている（例えば、特許文献１参照）。紐状部材には疑毛が植設され、これにより被装着者の頭部とかつらとの境界部分を視認されにくくすることができる。
【先行技術文献】
【特許文献】
【０００３】
【特許文献１】特開２０１５−９６６５９号
【発明の概要】
【発明が解決しようとする課題】
【０００４】
しかしながら、かつらベースを構成する基布に、別部材である帯状部材を取り付けるので、かつらベースの外縁領域で段差が生じる。更に、紐状部材は毛髪より太いので、被装着者の自毛となじんだ自然な外観を得ることは困難である。特に、風が吹いたときや、毛髪を上に上げたりするとき、段差や毛髪と明らかに異なる部材が目立って、かつらの装着が露見し易くなる。
【課題を解決するための手段】
【０００５】
上記の課題を解決するため、本開示の１つの実施態様は、
外縁の少なくとも一部を形成する基布を備えたかつらベースであって、
前記基布は、一方の糸及び前記一方の糸と交差する他方の糸から構成される内側領域と、前記一方の糸が存在せず前記他方の糸のみが存在する外側領域とから構成され、
前記外側領域において、前記他方の糸が前記かつらベースの外側方向に延びるように配置されているかつらベースである。
【０００６】
本開示のその他の実施態様は、
上記のかつらベースに擬毛が植設されたかつらである。
【発明の効果】
【０００７】
本開示によれば、被装着者の自毛となじんだ自然な外観が得られ、装着していることが露見しにくいかつらベース、及びこのかつらベースに疑毛が植設されたかつらを提供することができる。
【図面の簡単な説明】
【０００８】
【図１】本開示の１つの実施形態に係るかつらベースを模式的示す平面図である。
【図２】図１に示すかつらベースの外側領域と隣接する内側領域において、隣接する一方の糸が擬毛で結び付けられるところを模式的に示す斜視図である。
【図３】図１に示すかつらベースの第１の基布の領域を更に詳細に示す平面図である。
【図４】図１に示すかつらベースに取り付けられている帯状部材を更に詳細に示す平面図である。
【図５】帯状部材が擬毛で第２の領域のフィラメントに結び付けられているところを模式的に示す平面図である。
【図６Ａ】かつらベースに疑毛が植設されたかつらの実施例の平面形状を示す図（写真）である。
【図６Ｂ】図６Ａに示すかつらベースの外側領域を拡大して示す図（写真）である。
【発明を実施するための形態】
【０００９】
以下、図面を参照しながら、本発明を実施するための実施形態や実施例を説明する。なお、以下に説明する実施形態や実施例は、本発明の技術思想を具体化するためのものであって、特定的な記載がない限り、本発明を以下のものに限定しない。
各図面中、同一の機能を有する部材には、同一符号を付している場合がある。各図面が示す部材の大きさや位置関係等は、説明を明確にするため、誇張して示している場合もある。
【００１０】
(１つの実施形態に係るかつらベース）
はじめに、図１から図３を参照しながら、本開示の１つの実施形態に係るかつらベースの説明を行う。図１は、本開示の１つの実施形態に係るかつらベースを模式的示す平面図である。図２は、図１に示すかつらベースの外側領域と隣接する内側領域において、隣接する一方の糸が擬毛で結び付けられるところを模式的に示す斜視図である。図３は、図１に示すかつらベースの第１の基布の領域を更に詳細に示す平面図である。
【００１１】
本実施形態に係るかつらベース２は、経糸及び緯糸からなる織物で構成された第１の基布４と、六角形の網目を有する第２の基布２０とを備える。第１の基布４は、織物の経糸及び緯糸のどちらに該当する一方の糸１０及び他方の糸１２を備え、一方の糸１０及び他方の糸１２により格子状の網目が形成されている。
一方の糸１０及び他方の糸１２の太さとして、７０〜９０μｍを例示することができる。第２の基布２０の六角形の網目を構成するフィラメント２２の太さとして、１００〜７００μｍを例示することができる。
【００１２】
かつら装着時には、第１の基布４が配置された図１の上側が、被装着者の前頭側に配置される。かつら装着時に、被装着者の頭皮が露見しやすい前頭部、分髪部に位置する第１の基布４は、露見を抑制するため、比較的メッシュが細かく形成されている。一方、被装着者の頭部のその他の領域に位置する第２の基布２０は、それよりメッシュを大きくして、通気性を向上させている。
【００１３】
本実施形態では、第２の基布２０では六角形の網目が形成されているが、これに限られるものではなく、例えば、互いに糸が交差する格子状の網目を有する場合あり得る。何れの場合でも、第２の基布２０のメッシュが、第1の基布４のメッシュよりも大きくなっている。
図１の矢印Ｃで示す第１の基布４及び第２の基布２０の境界部分は、例えば、接着剤により互いに一体的に接合されている。必要に応じて、縫合で第１の基布４及び第２の基布２０を接合することもできる。
【００１４】
第１の基布４が、かつらベース２の外縁の一部（前頭側）を形成し、第２の基布２０がかつらベース２の外縁の残りの部分（両側頭側、後頭側）を形成している。第１の基布４は、一方の糸１０及び他方の糸１２が交差した通常の織物の状態を保つ内側領域６と、一方の糸１０が存在せず他方の糸１２のみが存在する外側領域８とから構成されている（図３参照）。そして、外側領域８において、他方の糸１２がかつらベース２の外側方向（図１の矢印Ａ１参照）に延びるように配置されている。
【００１５】
これを実現するため、他方の糸１２がかつら装着時における前後方向を向き、一方の糸１０がそれに交差するように第１の基布４が配置されている。ただし、かつら装着時に、外側領域８が前頭側以外の領域にも配置される実施形態が考えられる。そのような実施形態を含めれば、「他方の糸１２が、かつらベース２の外縁に対する略法線方向を向き、一方の糸１０が、かつらベース２の外縁の略接線向を向くように、第１の基布４が配置される」と言うことができる。
外側領域８を形成するには、例えば、第１の基布４及び第２の基布２０を接合した後、第１の基布４の外縁部から内側かけての所定の領域について、一方の糸１０を取り除くことにより、他方の糸１２のみが存在する領域を形成することができる。
【００１６】
このように形成されたかつらベース２において、第１の基布４の内側領域６及び第２の基布２０に疑毛Ｇが植設されて、かつらが形成される。フィラメントとなる内側領域６の一方の糸１０及び他方の糸１２に疑毛Ｇが結び付けられ、第２の基布２０のフィラメント２２に疑毛Ｇが結び付けられる。この場合、既知の任意の結び付け方法を用いて、疑毛Ｇを、一方の糸１０、他方の糸１２及びフィラメント２２に植設することができる。
【００１７】
以上のように、本実施形態に係るかつらベース２は、外縁の少なくとも一部を形成する基布（ここでは第１の基布）４を備えたかつらベースであって、基布４は、一方の糸１０及び一方の糸と交差する他方の糸１２から構成される内側領域６と、一方の糸１０が存在せず他方の糸１２のみが存在する外側領域８とから構成され、外側領域８において、他方の糸１２がかつらベース２の外側方向に延びるように配置されている。
【００１８】
第１の基布４の外側領域８において、外側に延びた他方の糸１２は織物を構成する細い糸なので、直線的に延びる訳ではなく、個々の糸が、概ね外側を向きながらも、様々な方向に、不規則に多少曲がりながら延びている。外側領域８において外側に延びた他方の糸１２は、かつらベース２から段差なく延びているので、かつら装着時においては、あたかも生え際の毛髪やうぶ毛のように見える。第１の基布４の内側領域６に植設された擬毛Ｇと絡み、かつら装着時には、被装着者の自毛とも絡んだ状態となる。
【００１９】
これにより、被装着者の自毛となじんだ自然な外観を得ることができる。特に、風が吹いたときや、毛髪を上に上げたりするときでも、段差がなく、毛髪やうぶ毛のような細い他方の糸１２が不規則に延びているので、かつらを装着していることを露見しにくくすることができる。よって、被装着者の自毛となじんだ自然な外観が得られ、装着していることが露見しにくいかつらベース２を提供できる。
【００２０】
更に、本実施形態に係るかつらベース２では、外側領域８において、他方の糸１２の先端部から内側領域６との境界までの長さＬ（図３参照）が異なるように形成されている。これにより、実際の生え際の毛髪やうぶ毛のような自然な外観を得ることができる。
特に、外側領域８において、複数の他方の糸１２の先端部により波形が形成されるように、かつらベース２の外側方向に延びた他方の糸１２の長さＬが調整されている（図３参照）。これにより、装着時にかつら全体として自然な外観を有するとともに、かつらベース２自体としても、優れた美観を有して、その商品価値を高めることができる。
【００２１】
本実施形態では、一方の糸１０及び他方の糸１２が、モノフィラメントからなる糸で構成されている。これにより、かつらベース２の外側方向に延びる他方の糸１２に、所定の強度、所謂コシを持たせることができる。これにより、ある程度他方の糸１２が視認し易くなり、擬毛Ｇや被装着者の自毛となじんだ自然な外観が得られ易くなる。
【００２２】
ただし、第１の基布４がモノフィラメントからなる糸で形成される場合に限られるものではない。第１の基布４を、複数の単繊維を撚り合わせたマルチフィラメンからなる糸で構成することもできる。その場合には、外側領域８において、うぶ毛のような非常に細い糸が不規則に広がった状態を形成することができる。
【００２３】
＜一方の糸の抜け落ち防止＞
内側領域６の外側領域８と隣接する領域では、一方の糸１０が外側に抜け落ちるのを防ぐ必要がある。例えば、少量の接着剤を用いて、交差した一方の糸１０及び他方の糸１２を固定することが考えられる。ただし、接着剤で固定されると、他方の糸１２が自由な方向に延びるのを妨げる傾向にあるので、本実施形態では、下記のような一方の糸１０の抜け落ち防止機構を備えている。
【００２４】
本実施形態では、外側領域８と隣接する内側領域６の最外部から内側へかけての３本以上の一方の糸１０からなる連結領域において、内外方向で異なる位置にある隣接する複数の一方の糸１０を擬毛Ｇで結び付けた結び目Ｍが、複数形成されている。これらの複数の結び目Ｍは、一方の糸１０の延在方向の異なる位置に形成されている。これにより、連結領域における最も外側の一方の糸１０である最外糸と最も内側の一方の糸１０である最内糸とが、複数の結び目Ｍと、内外方向で最外糸及び最内糸の間に位置する一方の糸１０を介して、互いに連結されている。
【００２５】
図３には、隣接する２本の一方の糸１０が擬毛Ｇで結び付けられた場合が示されている。外側領域８と隣接する内側領域６の最外部から内側へかけての４本の一方の糸１０Ａ、１０Ｂ、１０Ｃ、１０Ｄ（連結領域）において、隣接する２本の一方の糸１０Ａ〜１０Ｃを擬毛Ｇで結び付ける結び目Ｍ１〜Ｍ３が、一方の糸１０の延在方向において異なる位置に形成されている。つまり、１番目の糸１０Ａ及び２番目の糸１０Ｂを結び付ける結び目Ｍ１、２番目の糸１０Ｂ及び３番目の糸１０Ｃを結び付ける結び目Ｍ２、並びに３番目の糸１０Ｃ及び４番目の糸１０Ｄを結び付ける結び目Ｍ３が、一方の糸１０の延在方向において異なる位置に形成されている。
【００２６】
これにより、最外糸である１つの糸１０Ａと最内糸である１つの糸１０Ｄとが、複数の結び目Ｍ１、Ｍ２、Ｍ３と、内外方向で最外糸及び最内糸の間に位置する一方の糸１０Ｂ、１０Ｃとを介して、互いに連結されている。別の表現をすれば、最外糸である一方の糸１０Ａ及び最内糸である一方の糸１０Ｄの間で、隣接する一方の糸１０Ａ〜１０Ｄを順に繋いでいく結び目Ｍ１、Ｍ２、Ｍ３が形成されている。なお、「順に繋いでいく」は、内外方向において順に繋いでいくものであり、一方の糸１０の延在方向における位置については、結び目Ｍ１、Ｍ２、Ｍ３の順に配置する場合に限らず、任意に並び替えた順で配置することができる。
【００２７】
隣接する２本の一方の糸１０を擬毛Ｇで結び付ける場合だけでなく、図３のＸで示す領域に例示するように、隣接する３本、またはそれ以上の本数の一方の糸１０を擬毛Ｇで結び付ける場合もあり得る。これによっても、最外糸である一方の糸１０Ａと最内糸である一方の糸１０Ｄとが、複数の結び目Ｍ１２、Ｍ２３と、内外方向で最外糸及び最内糸の間に位置する一方の糸１０Ｂ、１０Ｃとを介して、互いに連結されている。
【００２８】
複数形成された結び目Ｍは、「擬毛Ｇで結び付ける一方の糸１０が少なくとも１本共通し、共通する一方の糸１０及びそれよりも外側に隣接する少なくとも１本の一方の糸１０を結び付ける外側の結び目Ｍと、共通する一方の糸Ｍ及びそれよりも内側に隣接する少なくとも１本の一方の糸１０を結び付ける内側の結び目Ｍとを含む」と言うことできる。この場合、共通する一方の糸１０が、１本の場合も２本以上の場合がある。同様に、共通する一方の糸１０の外側で隣接する一方の糸１０も、１本の場合も２本以上の場合がある。同様に、共通する一方の１０の内側で隣接する一方の糸１０も、１本の場合も２本以上の場合がある。
【００２９】
隣接する２本の一方の糸１０を結び付けた例として、結び目Ｍ１及びＭ２で記載すれば、「複数の結び目Ｍが、擬毛Ｇで結び付ける一方の糸１０Ｂが共通し、共通する一方の糸１０Ｂ及びそれよりも外側に隣接する一方の糸１０Ａを結び付ける外側の結び目Ｍ１と、共通する一方の糸１０Ｂ及びそれよりも内側に隣接する一方の糸１０Ｃを結び付ける内側の結び目Ｍ２とを含む」と表現できる。
【００３０】
隣接する３本の一方の糸１０を擬毛Ｇで結び付けた例として、結び目Ｍ１２及びＭ２３で記載すれば、「複数の結び目Ｍが、擬毛Ｇで結び付ける一方の糸１０Ｂ、１０Ｃが共通し、共通する一方の糸１０Ｂ、１０Ｃ及びそれよりも外側に隣接する一方の糸１０Ａを結び付ける外側の結び目Ｍ１２と、共通する一方の糸１０Ｂ、１０Ｃ及びそれよりも内側に隣接する一方の糸１０Ｄを結び付ける内側の結び目Ｍ２３とを含む」と表現できる。
【００３１】
隣接する４本以上の一方の糸１０を擬毛Ｇで結び付ける場合も、同様に表現できる。また、共通する一方の糸１０の本数と、その外側または内側で隣接する一方の糸１０の本数とが同じ場合も、異なる場合もあり得る。ただし、抜け落ち抑制効果を考慮すると、共通する一方の糸１０の外側または内側で隣接する一方の糸１０の本数は、１本または２本程度が好ましい。
【００３２】
本実施形態では、連結領域における最外糸である一方の糸１０Ａと最内糸である一方の糸１０Ｄと連結する複数の結び目Ｍ１、Ｍ２、Ｍ３の群ＧＲが、一方の糸１０の延在方向の異なる位置に複数形成されている。同様に、連結領域における最外糸である一方の糸１０Ａと最内糸である一方の糸１０Ｄと連結する複数の結び目Ｍ１２、Ｍ２３の群ＧＲ’が、一方の糸１０の延在方向の異なる位置に複数形成されている。
なお、図３に示す例では、結び目Ｍ１、Ｍ２及びＭ３の２つ群ＧＲの間に、結び目Ｍ２が形成され、外から内の順で結び目Ｍが形成された後、逆の内から外の順で結び目Ｍが形成されて、波形のように結び目Ｍが配置されている。
【００３３】
本実施形態では、連結領域が、外側領域８と隣接する内側領域６の最外部から内側へかけての４本の一方の糸１０から構成されているが、これに限られるものではなく、連結領域が、３本の一方の糸１０で構成される場合も、５本以上の一方の糸１０で構成される場合もあり得る。
連結領域が３本の一方の糸１０Ａ、１０Ｂ、１０Ｃで構成される場合であれば、一方の糸１０Ａ及び１０Ｂを結び付ける結び目Ｍ１、並びに一方の糸１０Ｂ及び１０Ｃを結び付ける結び目Ｍ２の群が、一方の糸１０の延在方向において異なる位置に複数形成される。つまり、一方の糸１０の延在方向において、結び目Ｍ１結び目Ｍ２が交互に配置されることになる。
【００３４】
以上のように、本実施形態では、外側領域８と隣接する内側領域６の最外部から内側へかけての３本以上の一方の糸１０からなる連結領域において、隣接する一方の糸１０を擬毛Ｇで結び付けた結び目Ｍが、一方の糸１０の延在方向の異なる位置に複数形成され、連結領域における最も外側の一方の糸１０である最外糸と最も内側の一方の糸１０である最内糸とが、複数の結び目Ｍと、内外方向で最外糸及び最内糸の間に位置する一方の糸１０とを介して、互いに連結されている。
【００３５】
これにより、外側領域８と隣接する内側領域６の各々の一方の糸１０では、その延在方向で限られた位置にしか結び目Ｍが存在しないにも関わらず、一方の糸１０及び他方の糸１２が交差して形状が保持された内側領域６の面部の強度（織物の強度）により、一方の糸１０（特に一番外側の一方の糸１０Ａ）が抜け落ちるのを効果的に抑えることができる。第１の基布４及び擬毛Ｇ以外に、接着剤、縫着糸、他の拘束部材を有さないので、外側領域８において、他方の糸１２がより自由な方向に延びることができる。これにより、被装着者の自毛となじんだ自然な外観が得られるとともに、外側領域８と隣接する内側領域６の一方の糸１０の抜け落ちを効果的に抑制することができる。
【００３６】
本実施形態では、複数形成された結び目Ｍが、擬毛Ｇで結び付ける一方の糸１０が少なくとも１本共通し、共通する一方の糸１０及びそれよりも外側に隣接する少なくとも１本の一方の糸１０を結び付ける外側の結び目Ｍと、共通する一方の糸１０及びそれよりも内側に隣接する少なくとも１本の一方の糸１０を結び付ける内側の結び目Ｍとを含んでいる。
これにより、最外糸及び最内糸である一方の糸１０の間を、複数の結び目Ｍと、内外方向で最外糸と最内糸の間に位置する一方の糸１０とを介して、確実に連結することができる。
【００３７】
更に、連結領域における最外糸及び最内糸である一方の糸１０の間を連結する複数の結び目Ｍの群ＧＲ、ＧＲ’が、一方の糸１０の延在方向の異なる位置に複数形成されている。
これにより、一方の糸１０の延在方向で限られた位置にしか結び目Ｍが存在しないにも関わらず、外側領域８と隣接する内側領域６の一方の糸１０の延在方向の全域において、確実に一方の糸１０の抜け落ちを抑制することができる。
【００３８】
＜基礎の色＞
第１の基布４及び第２の基布２０の色としては、被装着者の毛髪の色に近い色を採用することが考えられる。また、第１の基布４の場合には、生え際や分髪部での露見防止の観点から、被装着者の頭皮の色に近い薄い色を用いることもできる。第１の基布４の色を毛髪の色に近い色にした場合には、外側領域８において外側に延びた他方の糸１２を、毛髪のように見せることができる。一方、第１の基布４の色を頭皮の色に近い色にした場合には、外側領域８において外側に延びた他方の糸１２を、うぶ毛のように見せることができる。また、第１の基布４の内側領域６を頭皮の色に近い色とし、外側領域８において外側に延びた他方の糸１２の色を毛髪の色に近い色とするように着色することもできる。
【００３９】
本実施形態では、かつらベース２の外縁は、かつら装着時における前頭部の位置に第１の基布４が配置され、その他の領域に第２の基布２０が配置されている。第２の基布２０の外縁は接着剤等で固められており、メッシュを構成する糸が外側に延びる構成は有していない。その代わりに、別部材である帯状部材３０が、第２の基布２０の外縁領域に取り付けられている。
【００４０】
（帯状部材）
次に、図４及び図５を参照しながら、本実施形態に係る帯状部材３０の説明を行う。図４は、図１に示すかつらベースに取り付けられている帯状部材を更に詳細に示す平面図である。図５は、帯状部材が擬毛で第２の領域のフィラメントに結び付けられているところを模式的に示す平面図である。
【００４１】
帯状部材３０は、第１の基布４と同様な経糸及び緯糸が交差した織物から形成することができる。帯状部材３０は、その長手方向に延びる第１の糸３６及び第１の糸３６に交差した第２の糸３８から構成される。帯状部材３０は、第１の糸３６及び第２の糸３８が交差した第１の領域３２と、第１の糸３６が存在せず第２の糸３８のみが存在する第２の領域３４とから構成されている。
【００４２】
このような帯状部材３０が、かつらベース２の外縁の一部（ここでは、前頭部を除く領域）を形成するようにかつらベース２に取り付けられ、第２の領域３４において、第２の糸３８がかつらベース２の外側方向に延びるように配置されている。
これにより、上記の第１の基布４の外側領域８と同様に、被装着者の自毛となじんだ自然な外観が得られる。なお、帯状部材３０は、縫着や接着により、第２の基布２０に取り付けることができる
【００４３】
本実施形態に係る帯状部材３０では、第１の領域３２の第１の糸３６及び第２の糸３８を接着剤等で固めて、第１の糸３６が抜け落ちるのを抑制することができる。前頭部に比べ、他の領域は生え際が目立つ度合いが少ないので、第１の領域３２を接着剤等で固めた帯状部材３０を用いたとしても、かつら装着時に所定の露見防止効果を得ることができる。
【００４４】
ただし、第２の糸３８がより自由な方向に延びるようにするためには、図５に示すような第1の糸３６の抜け落ち防止機構を採用することが好ましい。具体的には、第１の領域３２において、隣接する第１の糸３６が疑毛Ｇで結び付けられるとともに、第２の基布２０のフィラメント２２とも結び付けられている。このような結び目ＭＭにより、第１の糸３６の抜け落ちを抑制するとともに、帯状部材３０を第２の基布２０に取り付ける固定手段としても用いることができる。
【００４５】
（その他の実施形態）
本実施形態では、第１の基布４の外側領域８が、かつら装着時に前頭側（図１の矢印Ａ１参照）の領域に配置されているが、その他の領域にも配置することも可能であり、全周において第１の基布４の外側領域８を配置することも可能である。
全周に外側領域８が配置された場合には、かつらベース２の全領域を第１の基布４で形成することもできるし、かつらベース２の内側の領域をより大きなメッシュの第２の基布２０で形成して、通気性を向上させることもできる。
【００４６】
かつらベース２の外縁の全周を同一の第１の基布４を用いた場合、前頭部側（図１の矢印Ａ１参照）及び後頭部側（図１の矢印Ａ３参照）においては、外側領域８で他方の糸１２のみが存在するように形成し、両側頭部側（図１の矢印Ａ２、Ａ４参照）において、外側領域８で一方の糸１０のみが存在するように形成することが考えられる。なお、前頭部と側頭部との間の領域や、後頭部と側頭部との間の領域では、一方の糸１０または他方の糸１２が、かつらベース２の外縁の略法線方向（図１の矢印Ａ５、Ａ６、Ａ７、Ａ８のような斜めの方向）に延びるように配置することが好ましい。その場合には、交差する糸の方向が異なる複数の基布を接合して、１つの第１の基布４とすることができる。
【００４７】
(１つの実施形態に係るかつら）
次に、図６Ａ及び図６Ｂを参照しながら、上記のかつらベース２に擬毛Ｇが植設された１つの実施形態に係るかつらについて説明する。図６Ａは、かつらベースに疑毛が植設されたかつらの実施例の平面形状を示す図（写真）である。図６Ｂは、図６Ａに示すかつらベースの外側領域を拡大して示す図（写真）である。どちらも、かつらベースを裏面側から見た図である。本実施例では、装着者の毛髪を挟み込んで、かつら５０を頭部に固定するための、留め具４０が取り付けられている。
【００４８】
図（写真）から明らかなように、外側領域８において外側に延びた他方の糸１２は、かつらベース２から段差なく延びているので、かつら装着時においては、あたかも生え際の毛髪やうぶ毛のように見えるようになる。よって、第１の基布４の内側領域６に植設された擬毛Ｇだけでなく、かつら５０の装着時には、被装着者の自毛とも絡んだ状態を形成できる。よって、被装着者の自毛となじんだ自然な外観が得られ、装着していることが露見しにくいかつら５０を提供できる。
【００４９】
以上のように、本開示の実施の形態を説明したが、本開示内容は構成の細部において変化してもよく、実施の形態における要素の組合せや順序の変化等は請求された本開示の範囲および思想を逸脱することなく実現し得るものである。
【符号の説明】
【００５０】
２      かつらベース
４      第１の基布
６      内側領域
８      外側領域
１０    一方の糸
１２    他方の糸
２０    第２の基布
２２    フィラメント
３０    帯状部材
３２    第１の領域
３４    第２の領域
３６    第１の糸
３８    第２の糸
５０    かつら
Ｇ      疑毛
ＧＲ、ＧＲ’  群
Ｍ、ＭＭ    結び目
【要約】
【課題】被装着者の自毛となじんだ自然な外観が得られ、装着していることが露見しにくいかつらベース及びかつらを提供する。
【解決手段】  外縁の少なくとも一部を形成する基布４を備えたかつらベース２であって、基布４は、一方の糸１０及び一方の糸１０と交差する他方の糸１２から構成される内側領域６と、一方の糸１０が存在せず他方の糸１２のみが存在する外側領域８とから構成され、外側領域８において、他方の糸１２がかつらベース２の外側方向に延びるように配置されているかつらベース２、及びこのかつらベース２に疑毛が植設されたかつらを提供する。
【選択図】  図１【図１】
0006883695.tif 000002
【図２】
0006883695.tif 000003
【図３】
0006883695.tif 000004
【図４】
0006883695.tif 000005
【図５】
0006883695.tif 000006
【図６Ａ】
0006883695.tif 000007
【図６Ｂ】
0006883695.tif 000008